(57)【要約】  化粧用ブラシ(1)は、断面非円形の異形芯線(3i)の間に多数のブリストル(5)を挟持して、異形芯線(3i)を捻りあわせて形成されるブラシ部(10)の、異形芯線(3i)の捻り合わせ部(4)から、ブリストル(5)が、ブラシ部軸方向(P)に二股に分かれて延出するよう構成した。これにより、塗布液(12)の保持量が適量で、専用の部品も必要としない、ブラシ部軸方向(P)にブリストル(5)の隙間(6)が設けられた化粧用ブラシ(1)が得られる。
2015145898.tif 000002
【特許請求の範囲】
【請求項１】
断面非円形の異形芯線の間に多数のブリストルを挟持して、前記異形芯線を捻りあわせて形成されるブラシ部の、前記異形芯線の捻り合わせ部から、前記ブリストルが、ブラシ部軸方向に二股に分かれて延出することを特徴とする化粧用ブラシ。
【請求項２】
前記ブラシ部は、ブラシ部軸方向に隣接する前記異形芯線の捻り合わせ部の、一方の捻り合わせ部から他方の捻り合わせ部方向に延出するするブリストルと、他方の捻り合わせ部から一方の捻り合わせ部方向に延出するするブリストルとが、接触するよう構成されることを特徴とする請求項１に記載の化粧用ブラシ。
【請求項３】
芯線の間に多数のブリストルを挟持して前記芯線を捻りあわせて形成されるブラシ部であって、前記芯線に断面非円形の異形芯線を用いて、前記異形芯線の捻り合わせ部の現れるピッチを、前記異形芯線と同じ線径又は同じ断面積を有する断面円形の芯線の捻り合わせ部のピッチよりも広く構成したことを特徴とする化粧用ブラシ。
【発明の詳細な説明】
【技術分野】
【０００１】
本発明は、化粧用ブラシに係り、特に、芯線の間に多数のブリストルを挟持して、芯線を捻りあわせて形成されるブラシ部を有する化粧用ブラシに関する。
【背景技術】
【０００２】
この種の化粧用ブラシ１のブラシ部１０は、図８（ａ），（ｂ），（ｃ）に示すように、断面円形の芯線３を使用し、二本の芯線３の間にブリストル５を通し、ブリストル５の中央部を挟み芯線３を捻り合わせることで、芯線３の捻り合わせ部４から、ブリストル５が、ブラシ部軸方向Ｐにはランダムに広がり、ブラシ部半径方向Ｒには芯線３の捻り合わせ部４に沿って螺旋状に連続して分散し、全体が円柱状に形成されるのが一般的である。（なお、簡略図である図８（ｃ）は、捻り合わせ部４から螺旋状に分散するブリストル５のうち、図面手前方向に延出するものの記載を省略している。）【０００３】
これに対し、ブラシ部軸方向にランダムに広がるブリストルを間引いて、ブラシ部軸方向にブリストルの隙間を設けた化粧用ブラシが開示されている。特許文献１では、断面円形の芯線を使用し、化粧用ブラシの形成時に、ブリストルの中央部ではなくブリストルの一端部を挟み捻り合わせ、芯線の捻り合わせ部から一つおきにブリストルを延出させることで、ブラシ部軸方向Ｐにブリストルの隙間を設けている。特許文献２では、上述のような、断面円形の芯線を使用して形成した一般的な化粧用ブラシに、後工程としてコイルスプリング状の部品を嵌め、部品でブリストルの延出方向を変えることで、ブラシ部軸方向にブリストルの隙間を設けている。
【先行技術文献】
【特許文献】
【０００４】
【特許文献１】実開昭４８−１１４６５６号公報
【特許文献２】特開２０１０−６９０２２号公報
【発明の概要】
【発明が解決しようとする課題】
【０００５】
しかし、特許文献１の化粧用ブラシでは、ブリストルは芯線の捻り合わせ部から一つおきにしか現れないため、ブリストルの毛量が少なくなるし、ブラシ部軸方向のブリストルとブリストルの間が空きすぎてしまうため、ここに保持される塗布液が多量となり、睫毛にダマができてしまう。特許文献２の化粧用ブラシでは、専用の部品を必要とするため、ブラシの構成点数及び作業工数が増えてしまう。【０００６】
本発明は、前記従来技術の問題点に基づいて為されたもので、塗布液の保持量が適量で、専用の部品も必要としない、ブラシ部軸方向にブリストルの隙間が設けられた化粧用ブラシを提供するものである。
【課題を解決するための手段】
【０００７】
前記目的を達成するために、本発明に係る化粧用ブラシでは、断面非円形の異形芯線の間に多数のブリストルを挟持して、前記異形芯線を捻りあわせて形成されるブラシ部の、前記異形芯線の捻り合わせ部から、前記ブリストルが、ブラシ部軸方向に二股に分かれて延出することを特徴とする。【０００８】
好ましくは、前記ブラシ部は、ブラシ部軸方向に隣接する前記異形芯線の捻り合わせ部の、一方の捻り合わせ部から他方の捻り合わせ部方向に延出するするブリストルと、他方の捻り合わせ部から一方の捻り合わせ部方向に延出するするブリストルとが、接触するよう構成されることを特徴とする。【０００９】
また、本発明に係る化粧用ブラシでは、芯線の間に多数のブリストルを挟持して前記芯線を捻りあわせて形成されるブラシ部であって、前記芯線に断面非円形の異形芯線を用いて、前記異形芯線の捻り合わせ部の現れるピッチを、前記異形芯線と同じ線径又は同じ断面積を有する断面円形の芯線の捻り合わせ部のピッチよりも広く構成したことを特徴とする。
【発明の効果】
【００１０】
本発明の化粧用ブラシによれば、芯線を断面非円形の異形芯線としたことで、異形芯線の捻り合わせ部から延出するブリストルが、ブラシ部軸方向に二股に割れて延出する。これにより、この二股に割れたブリストルの間がブリストルの隙間となるので、ブラシ部軸方向にブリストルの隙間を設けることができる。【００１１】
本発明の化粧用ブラシは、ブラシ部半径方向には、異形芯線の捻り合わせ部の螺旋に沿って全ての箇所からブリストルが延出するため、ブリストルの毛量は従来と同等である。また、本発明の化粧用ブラシは、ブリストルの隙間を設けるための専用の部品等を必要とせず、異形芯線を採用して、従来の化粧用ブラシと同様の製造工程を行うだけで良いので、ブラシの構成点数及び作業工数も従来と同じである。【００１２】
また、本発明の化粧用ブラシを用いれば、マスカラ等の塗布液を睫毛に塗布する際に、ブラシ部軸方向に一定間隔で現れるブリストルの隙間に、睫毛が集約された状態で塗布液が塗布されるので、束感のある睫毛ができる。さらに、化粧用ブラシを睫毛根本から毛先方向に動かすことで、そのままブリストルがコームとして機能するので、毛先まで束感を維持した長い睫毛ができる。【００１３】
また、ブリストルが二股に割れるので、ブラシ部軸方向に隣接する異形芯線の捻り合わせ部の、一方の捻り合わせ部から他方の捻り合わせ部方向に延出するするブリストルと、他方の捻り合わせ部から一方の捻り合わせ部方向に延出するするブリストルとが、接触するよう構成することができる。このブリストルの接触部は、睫毛によく絡むので、睫毛の細部への細かな塗布作業を行える。【００１４】
また、芯線に断面非円形の異形芯線を用いたことで、使用する異形芯線と同じ線径又は同じ断面積を有する断面円形の芯線を用いてブラシ部を形成した場合よりも、芯線の捻り合わせ部に傾斜が付き、芯線の捻り合わせ部のブラシ部軸方向のピッチが広がる。このため、異形芯線の捻り合わせ部から分散するブリストルは、上記条件の断面円形の芯線からなるものよりもブラシ部軸方向に分散しやすくなる。この分、ブラシ部の液溜まり空間が広がり、異形芯線を用いたブラシ部は上記条件の断面円形の芯線で構成されたブラシ部よりも液含みの良いものが得られる。
【発明を実施するための形態】
【００１５】
次に、本発明の好適な実施の形態を図面に基づいて説明する。
【００１６】
（第１の実施例）
図１は本発明の第１の実施例に係る化粧用ブラシの側面図、図２は同化粧用ブラシの作成方法を説明する図、図３（ａ）は同化粧用ブラシの側面の一部拡大図、図３（ｂ）は図３ａの断面図、図３（ｃ）は図３ａの簡略図、である。
【００１７】
第１の実施例の化粧用ブラシ１は、図１に示すように、図示しない化粧料容器の口部に螺着できるキャップ２と、キャップ２に固定されたブラシ部１０と、を有する。なお、化粧料容器の口部内周は、筒状の可撓性部材（ワイパー）が設けられており、ブラシ部１０を容器から抜き出す際に、ブラシ部１０に過剰に付着したマスカラなどの塗布液１２をしごき落とすようになっている。
【００１８】
化粧用ブラシ１は、図２に示すように、二条の異形芯線３ｉ、３ｉの間に、従来同様に、多数のブリストル５を垂直に通し、ブリストル５の中央部を挟み、任意の一方向に捻ることで形成される。なお、二条の異形芯線３ｉは、一本の異形芯線３ｉを二つ折としても、二本の異形芯線３ｉを用いる構成でもよい。異形芯線３ｉの詳細は後述する。
【００１９】
これにより、化粧用ブラシ１は、図３（ａ）〜（ｃ）に示すようなブリストル５の形態を有することとなる。すなわち、ブリストル５は、異形芯線３ｉ、３ｉの捻り合わせ部４から、ブラシ部軸方向Ｐには二股に（すなわち図面の上下方向に）分かれて延出し、ブラシ部半径方向Ｒには異形芯線３ｉの捻り合わせ部４に沿って螺旋状に連続して分散する（特に図３（ａ）参照。なお、図３（ａ）は、図示の位置以外の位置の捻り合わせ部４から延出するブリストル５の記載を省略している）。従って、この二股に割れたブリストル５，５の間がブリストルの隙間６となって、化粧用ブラシ１は、ブラシ部軸方向Ｐにおいて、捻り合わせ部４に対応する位置にブリストルの隙間６が、捻り合わせ部４，４間に、ブリストルの山部７が、一定のピッチで現れる（特に図３（ｃ）参照。なお、簡略図である図３（ｃ）は、捻り合わせ部４から螺旋状に分散するブリストル５のうち、図面手前方向に延出するものの記載を省略している）。
【００２０】
図４は化粧用ブラシ１のブリストル５の様子を説明するための概念図である。化粧用ブラシ１は、芯材に異形芯線３ｉを採用したことで、その間に挟持されるブリストル５は、異形芯線３ｉから所定の拘束力を受けて延出するため、二股に割れるものと考えられる。異形芯線３ｉは、周方向に「面」を有するため、異形芯線３ｉ，３ｉを捻り合わせたとき、捻り合わせ部４には異形芯線３ｉの「面」が現れる。ブリストル５は、異形芯線３ｉの面に当接して延出するため、当接した面に応じて延出方向が決定付けられる（芯線３が円形であれば、このような面は存在しないため、ランダムに延出する）。例えば図４のような捻り合わせ部４では、下方に位置する異形芯線３ｉＢの拘束力を受けたブリストル５は、捻り合わせ面３ｉｂに当接して上方に延出するよう方向付けられ、上方に位置する異形芯線３ｉＡの拘束力を受けたブリストル５は、捻り合わせ面３ｉａに当接して下方に延出するよう方向付けられる。この状態が、捻り合わせ部４に沿って螺旋状に続くことで、異形芯線３ｉの化粧用ブラシ１は、捻り合わせ部４からブリストル５がブラシ部軸方向Ｐに二股に割れるのである。
【００２１】
図５は異形芯線の例である。異形芯線３ｉは、図７に示すように、断面が、正方形、平行四辺形、長方形、ひし形、台形等の矩形、または、三角形、五角形、六角形等、断面が非円形のもの、すなわち捻り合わせ部４に面が現れるような断面形状であること意味する。従って、図７は異形芯線３ｉの例であって、図示の形状の角がラウンドされた形状や一部の辺が湾曲された形状等の種々の変形を含む。なお、捻り合わせ部４に確実に面が現れる構成とすることを考慮すれば、異形芯線３ｉは、断面が円形から遠のく形状のほうが好ましい。ブラシ製造工程の利便性を考慮すれば、断面矩形とするのが好ましい。
【００２２】
次に、上記化粧用ブラシ１を用いて塗布液１２を塗布する際の利点について説明する。
【００２３】
図６は化粧用ブラシ１の使用を説明するための図である。化粧用ブラシ１を化粧用容器から引き抜くと、塗布液１２が、各ブリストル５と、ブリストルの隙間６に保持されている（破線にて図示）。このまま化粧用ブラシ１を水平に持って睫毛１１に当てると、化粧用ブラシ１は、一定間隔でブリストルの隙間６があるため、睫毛１１が複数本集約された状態で塗布液１２が塗布されるので、束感のある睫毛１１ができる。さらに、化粧用ブラシ１を睫毛１１の根本から毛先方向に動かすことで、ブリストルの山部７がコームとして機能するので、毛先まで束感を維持した長い睫毛１１ができる。
【００２４】
また、図示のように、化粧用ブラシ１の液溜まり空間は、主に、各ブリストル５に付着する分と、二股に割れたブリストルの隙間６であるので、本実施例の化粧用ブラシ１の塗布液１２の保持量は、図８に示す従来の化粧用ブラシより多いものとなる。また、本実施例の化粧用ブラシ１は、ブリストル５が二股に割れるため、異形芯線３ｉが露呈することがなく、異形芯線３ｉ周囲に塗布液１２が残って、塗布液１２が過度に塗布されダマとなることや、異形芯線３ｉに残留した塗布液１２が時間経過により固化してゴミとなる等の不具合も少ない。
【００２５】
（第２の実施例）
図７は（ａ）本発明の第２の実施例に係る化粧用ブラシの側面の簡略図、図７（ｂ）は図７ａの断面図、である。
【００２６】
第２の実施例の化粧用ブラシ１は、第１の実施例と同様に異形芯線３ｉを用いた上で、異形芯線３ｉ，３ｉに挟むブリストル５の長さを、ブリストルの接触部８が形成されるよう所定長さに設計したものである。第１の実施例と共通の構成については同一の符号を用いて説明を割愛する。なお、図７（ａ）の簡略図は、捻り合わせ部４Ａ，４Ｂから螺旋状に分散するブリストル５のうち、図面手前方向に延出するものの記載を省略している。
【００２７】
第２の実施例のブラシ部１０は、ブラシ部軸方向Ｐに隣接する捻り合わせ部４Ａ，４Ｂの、一方の捻り合わせ部４Ａから他方の捻り合わせ部４Ｂ方向に延出するするブリストル５ｄと、他方の捻り合わせ部４Ｂから一方の捻り合わせ部４Ａ方向に延出するするブリストル５ｕとが、交差するよう構成されている。
【００２８】
本実施例においても、第１の実施例と同様の効果が得られる。加えて、このブリストルの接触部８に睫毛１１がよく絡み、目頭、目尻の睫毛や下睫毛等の塗りにくい箇所への細かな塗布作業を行える。
【００２９】
なお、ブリストルの接触部８の接触程度は、本実施例のように交差させる構成に限らず、ブリストル５の先端部のみ接触、或いはブリストル５の中央部又は基端部が交差する構成でもよい。これらの変形例は、ブリストル５の長さを調整することで、任意に変更可能である。また、ブリストルの接触部８は、ブラシ部１０の一部箇所に形成される構成であってもよい。すなわち、ブラシ部１０の形状により、接触、非接触が混在していてもよい。
【００３０】
上記実施例１、２において採用するブリストル５は、一般的に化粧用ブラシに採用されうる合成樹脂、動植物毛等の繊維であってよく、繊維の中実中空も、繊維の断面形状の様々な変形も、使用されてよい。好ましくは、ブリストル５は、柔らかい繊維を使用するのがよい。より好ましくは、ブリストル５は、ブリストル製造工程において、押し出し工程後に延伸加工工程を経ずに製造された、無延伸の合成繊維を用いるのがよい。この無延伸繊維の詳細は、日本国特許第５１００９８５号に記載されているため割愛する。この無延伸繊維は剛性が低いため、異形芯線３ｉ，３ｉに挟んで捻ると、異形芯線３ｉからの拘束力が反映されやすいため好適である。
【００３１】
なお、上記実施例１、２では、本発明の化粧用ブラシ１をマスカラ塗布用として説明したが、その他の液体化粧料塗布にも適用できる。
【００３２】
次に、上記の化粧ブラシ１が、異形芯線３ｉを使用したことで得られる他の効果について説明する。図９は本発明に係る異形芯線で得た態様と断面円形の芯線で得た態様を比較した図である。
【００３３】
図９に示す（ａ）は線径ｄが０．８ｍｍの断面正円の芯線を使用したもの、（ｂ）は線径ｄが０．８ｍｍの断面正方形の異形芯線３ｉを使用したもの、（ｃ）は線径ｄが０．９ｍｍの断面正円の芯線を使用したものである。図９のうち、上段はブラシ部を比較した写真、中段は芯線の（ブラシ部軸方向に直交する）断面図、下段は芯線の捻り合わせ部の模式図である。なお、図中の一点鎖線は補助線である。
【００３４】
すなわち、ブラシ部１０ｂが本発明に係る異形芯線３ｉで得たもの、ブラシ部１０ａが異形芯線３ｉと同じ線径ｄを有する断面円形の芯線で得たもの、ブラシ部１０ｃが異形芯線３ｉと略同じ断面積Ａを有する断面円形の芯線で得たものである。
【００３５】
図９の上段に示すように、ブラシ部１０ｂは、芯線に断面非円形の異形芯線３ｉを用いたことで、ブラシ部１０ａ又はブラシ部１０ｃよりも、ブリストル５がブラシ部軸方向Ｐに分散しやすくなっている。
【００３６】
この理由は、図９の下段に示すように、ブラシ部１０ｂは、異形芯線３ｉを用いたことで、芯線の捻り合わせ部４に傾斜θｂが付き、捻り合わせ部４のブラシ部軸方向Ｐに現れるピッチｈｂが広がるためである。異形芯線３ｉを用いたブラシ部１０ｂは、芯線の捻り合わせ部４に図４に示す面および角が現れるため、これが干渉して、捻り合わせ部の傾斜θｂが拡大し、傾斜θｂは上記条件の断面円形の傾斜θａおよび傾斜θｃよりも大きくなる。結果、ブラシ部１０ｂの捻り合わせ部４のピッチｈｂは、ブラシ部１０ａのピッチｈａよりも、ブラシ部１０ｃのピッチｈｃよりも大きくなる。
【００３７】
これにより、ブラシ部１０ｂは、ブラシ部１０ａ又はブラシ部１０ｃよりも、ブリストル５がブラシ部軸方向Ｐに分散するため、この分ブラシ部１０ｂの液溜まり空間が広がり、液含みが良くなる。
【００３８】
また、従来は、芯線の捻り合わせ部４のピッチを広げたい場合は、芯線の線径が太いものを選択するしかなかったが、芯線の線径は同一であっても、芯線に異形芯線３ｉを用いることで、芯線の捻り合わせ部４のピッチを伸ばすことができる。
【図面の簡単な説明】
【００３９】
【図１】本発明の第１の実施例に係る化粧用ブラシの側面図。
【図２】同化粧用ブラシの作成方法を説明する図。
【図３】（ａ）同化粧用ブラシの側面の一部拡大図、（ｂ）図３ａの断面図、（ｃ）図３ａの簡略図
【図４】同化粧用ブラシのブリストルの様子を説明するための概念図
【図５】異形芯線の例
【図６】同化粧用ブラシの使用を説明するための図
【図７】（ａ）本発明の第２の実施例に係る化粧用ブラシの側面の簡略図、（ｂ）図７ａの断面図
【図８】（ａ）従来の化粧用ブラシの側面の一部拡大図、（ｂ）図８ａの断面図、（ｃ）図８ａの簡略図
【図９】本発明に係る異形芯線で得た態様と断面円形の芯線で得た態様を比較した図
【符号の説明】
【００４０】
１…化粧用ブラシ、  ３ｉ…異形芯線、  ４…捻り合わせ部、  ５…ブリストル、  ６…ブリストルの隙間、  ７…ブリストルの山部、  ８…ブリストルの接触部、  １０…ブラシ部、  １１…睫毛、  １２…塗布液、  Ｐ…ブラシ部軸方向、  Ｒ…ブラシ部半径方向、  ｄ…芯線の線径、  Ａ…芯線の断面積  ｈ…芯線の捻り合わせ部のピッチ
【図１】
2015145898.tif 000003
【図２】
2015145898.tif 000004
【図３】
2015145898.tif 000005
【図４】
2015145898.tif 000006
【図５】
2015145898.tif 000007
【図６】
2015145898.tif 000008
【図７】
2015145898.tif 000009
【図８】
2015145898.tif 000010
【図９】
2015145898.tif 000011
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
断面非円形の異形芯線の間に多数のブリストルを挟持して、前記異形芯線を捻りあわせて形成されるブラシ部の、前記異形芯線の捻り合わせ部から、前記ブリストルが、ブラシ部軸方向に二股に分かれて延出することを特徴とする化粧用ブラシ。
【請求項２】
前記ブラシ部は、ブラシ部軸方向に隣接する前記異形芯線の捻り合わせ部の、一方の捻り合わせ部から他方の捻り合わせ部方向に延出するするブリストルと、他方の捻り合わせ部から一方の捻り合わせ部方向に延出するするブリストルとが、接触するよう構成されることを特徴とする請求項１に記載の化粧用ブラシ。
【請求項３】
前記異形芯線の捻り合わせ部の現れるピッチを、前記異形芯線と同じ線径又は同じ断面積を有する断面円形の芯線の捻り合わせ部のピッチよりも広く構成したことを特徴とする請求項１または２に記載の化粧用ブラシ。
【国際調査報告】
2015145898.tif 000012
2015145898.tif 000013
2015145898.tif 000014
2015145898.tif 000015
2015145898.tif 000016
2015145898.tif 000017
2015145898.tif 000018